(57)【要約】      （修正有）【課題】トップとケーブルホルダーとを長期に渡って良好に回転自在に支持し、メンテナンス性を向上する。【解決手段】トップ１のホルダーガイド筒部１ｂの上端１ｂ１から下端１ｂ２に向けてガイドカラー挿入孔１ｃが穿設される。ガイドカラー２は円筒状のガイド筒部２ａとガイド筒部２ａの上端に形成される環状鍔部２ｂと環状鍔部２ｂの上端２ｂ１からガイド筒部２ａの下端２ａ１に向かうケーブルホルダー挿入孔２ｃとにより形成される。ガイド筒部２ａはガイドカラー挿入孔１ｃに挿入され、環状鍔部２ｂはホルダーガイド筒部１ｂの上端１ｂ１に当接配置され、ケーブルホルダー挿入孔２ｃに、ケーブルホルダー３を挿入配置し、ガイドカラー２を環状鍔部２ｂに臨むケーブルホルダー３の拡大鍔部３ａとケーブルホルダー３の下端に固定配置され、ガイド筒部２ａの下端２ａ１及びホルダーガイド筒部１ｂの下端１ｂ２に臨む係止ワッシャー４とにより挟持する。【選択図】図２
2007198294.tif 000002
【特許請求の範囲】
【請求項１】
内部を吸気通路が貫通して穿設され、吸気通路から一側方に向かって摺動絞り弁を摺動自在に支持する絞り弁案内孔が連設され、前記絞り弁案内孔が穿設される絞り弁案内筒の上部に絞り弁案内孔の上部開口を閉塞するトップが螺着されるとともに該トップには、アクセルワイヤーが挿通配置されるケーブルホルダーが回転自在に支持される摺動絞り弁型気化器において、
トップ１に立設されたホルダーガイド筒部１ｂの上端１ｂ１から下端１ｂ２に向けてガイドカラー挿入孔１ｃが貫通して穿設され、
ガイドカラー挿入孔１ｃ内に回転自在に挿入配置されるとともに合成樹脂材料によって形成されるガイドカラー２は、ガイドカラー挿入孔１ｃに挿入される円筒状のガイド筒部２ａと、ガイド筒部２ａの上端にあって外側方に向かって延出形成される環状鍔部２ｂと、環状鍔部２ｂの上端２ｂ１からガイド筒部２ａの下端２ａ１に向けて貫通して穿設されるケーブルホルダー挿入孔２ｃと、により形成され、
ガイドカラー挿入孔１ｃに、ガイドカラー２のガイド筒部２ａを挿入配置するとともに環状鍔部２ｂをホルダーガイド筒部１ｂの上端１ｂ１に当接配置し、
一方、ガイドカラー２のケーブルホルダー挿入孔２ｃにケーブルホルダー３を挿入配置し、ガイドカラー２を、環状鍔部２ｂに臨むケーブルホルダー３の拡大鍔部３ａと、
ケーブルホルダー３の下端に固定配置され、ガイド筒部２ａの下端２ａ１及びホルダーガイド筒部１ｂの下端１ｂ２に臨む係止ワッシャー４と、により回転自在に挟持したことを特徴とする摺動絞り弁型気化器のケーブルホルダー。
【発明の詳細な説明】
【技術分野】
【０００１】
本発明は、気化器本体を貫通して穿設される吸気通路を、吸気通路から一側方に向けて連設される絞り弁案内孔内に摺動自在に配置された摺動絞り弁によって開閉する摺動絞り弁型気化器に関し、そのうち特に絞り弁案内孔が穿設された絞り弁案内筒の上部に螺着されるトップに回転自在に取着され、その内方に一端がアクセルグリップに係止され、他端が摺動絞り弁に係止されるアクセルワイヤーが挿通配置されるケーブルホルダーに関する。
【背景技術】
【０００２】
従来の摺動絞り弁型気化器のケーブルホルダーについて図３により説明する。
１０は内部を側方に向けて吸気通路１１が貫通して穿設された気化器本体であり、吸気通路１１の中間部から一側方（図３において上方）に向けて絞り弁案内孔１２が連設される。
前記絞り弁案内孔内には摺動絞り弁１３が摺動自在に配置されるもので、吸気通路１１は、この摺動絞り弁１３によって開閉される。
又、前記気化器本体の下方には浮子室本体１３が配置され、気化器本体１０の下方と浮子室本体１３とによって浮子室１４が形成され、この浮子室１４内には、燃料通路１５に連なるバルブシート１６と、バルブシート１６を開閉するフロートバルブ１７及び燃料液面の変化に応じてフロートバルブ１７を図において上下方向に移動させバルブシート１６を開閉させるフロート１８の協共作用によって常に一定なる燃料液面が形成される。
尚、Ｍは一端が主燃料ジェット１９を介して前記燃料液面下に開口し、他端が吸気通路１１に開口する主燃料供給系であり、Ｓは一端が低速燃料ジェット２０を介して燃料液面下に開口し、他端が吸気通路１１に開口する低速燃料供給系である。
２２は、気化器本体１０より一側方に突出して形成され、その内方に前記絞り弁案内孔が穿設される絞り弁案内筒であり、絞り弁案内孔１２は絞り弁案内筒２２の上端に向かって開口し、絞り弁案内筒２２の上部外周にはオネジ２２ａが形成される。
２３は、絞り弁案内筒２２のオネジ２２ａにメネジ２３ａを介して螺着される有底カップ状をなすトップであり、その略中心にはホルダーガイド筒部２３ｂが上方に向けて突出形成され、更にホルダーガイド筒部２３ｂの上端２３ｂ１から下端２３ｂ２に向けてケーブルホルダー挿入孔２３ｃが貫通して穿設される。
又２４は、内部にアクセルワイヤーＷが挿通して配置され、管状をなすケーブルホルダーであり、かかるケーブルホルダー２４はトップ２３のケーブルホルダー挿入孔２３ｃ内に挿入配置され、更にケーブルホルダー２４の拡大鍔部２４ａが第１係止ワッシャー２５ａを介してホルダーガイド筒部２３ｂの上端２３ｂ１に臨んで配置され、ケーブルホルダー２４の下端に固着配置された第２係止ワッシャー２５ｂがホルダーガイド筒部２３ｂの下端２３ｂ２に臨んで配置される。
以上によると、アクセルワイヤーＷを備えるケーブルホルダー２４はトップ２３のホルダーガイド筒部２３ｂのケーブルホルダー挿入孔２３ｃに回転自在に挟持される。これは拡大された図４によく示される。
【０００３】
以上よりなる摺動絞り弁型気化器において、摺動絞り弁１３は以下によって気化器本体１０に組付けられる。
まず、ケーブルホルダー２４を備えるトップ２３に摺動絞り弁１３が組付けられる。
これを図５について説明すると、トップ２３のホルダーガイド筒部２３ｂの下端２３ｂ２に臨んでコイル状の絞り弁スプリング２６と主燃料供給系Ｍの一部を構成するジェットニードルＪが取着された摺動絞り弁１３が配置される。このとき絞り弁スプリング２６の下端２６ａは摺動絞り弁１３の内底部１３ａ上に配置され、上端２６ｂはトップ２３のホルダーガイド筒部２３ｂの下端２３ｂ２に配置される。
そして、ケーブルホルダー２４内に挿通配置されるアクセルワイヤーＷの一端に形成されるタイコ状のワイヤーエンドＷａが、絞り弁スプリング２６の内方を通り、摺動絞り弁１３の底部１３ａに穿設されるエンド溝１３ｂ内に挿入されて係止される。
そして、上記によって小組状態に形成された摺動絞り弁１３を、絞り弁案内孔１２の上部開口から絞り弁案内孔１２内に挿入するとともにトップ２３のメネジ２３ａを、絞り弁案内筒２２の上端のオネジ２２ａに向けて螺着固定する。
このとき、ケーブルホルダー２４を手によって固定保持し、トップ２３を回転することによってトップ２３を気化器本体１０に螺着固定できるもので、これによって絞り弁案内孔１２の上部開口はトップ２３によって閉塞され、絞り弁案内孔１２内には、アクセルワイヤーＷのワイヤーエンドＷａが係止されるとともに絞り弁スプリング２６によって吸気通路１１の閉方向に付勢される摺動絞り弁１３が摺動自在に配置される。
而してアクセルワイヤーＷが運転者によって牽引操作されると、摺動絞り弁１３は絞り弁スプリング２６のバネ力に抗して上動して吸気通路１１を開放し、一方、前記牽引が解消されると、摺動絞り弁１３は、絞り弁スプリング２６のバネ力によって吸気通路１１を閉塞するものである。
【発明の開示】
【発明が解決しようとする課題】
【０００４】
かかる摺動絞り弁型気化器において、摺動絞り弁１３に装着されたジェットニードルＪは吸気通路１１内に開口する主燃料供給系Ｍの一部をなすニードルジェットＮ内に微少間隙をもって挿入されるものであり、ジェットニードルＪのタタカレ摩耗の確認、あるいは主燃料供給系Ｍのセッティング変更、等において、摺動絞り弁１３を含むジェットニードルＪを気化器本体１０より取外し、ジェットニードルＪの摩耗状況の確認あるいはジェットニードルＪの交換が行なわれる。
ここで、トップ２３に回転自在に挟持されて支持されるケーブルホルダー２４に着目すると、図４に示される如くケーブルホルダー２４は、トップ２３のケーブルホルダー挿入孔２３ｃ内に直接的に挿入されるものであり、これによると、機関を長期間に渡って保管する際、湿気によりケーブルホルダー２４の外周とケーブルホルダー挿入孔２３Ｃとが固着し、ケーブルホルダー２４とトップ２３とが固着することがある。
そして、前記、ケーブルホルダー２４とトップ２３とが固着された状態において、ジェットニードルＪのメンテナンスを行なうためにトップ２３を気化器本体１０より取外す際、トップ２３とケーブルホルダー２４とが一体的に回転し、このうち外側方へ大きくのびるケーブルホルダー２４が機関あるいは車輌の固定部位（例えばフレーム、燃料タンク等）に当接し、トップ２３を回転することができない。
すなわちトップ２３を気化器本体１０より取外すことができないという不具合を生ずる。
【０００５】
本発明は前記不具合に鑑み成されたもので、長期間に渡ってトップとケーブルホルダーとを良好に回転自在に支持することができ、ジェットニードルを含む摺動絞り弁のメンテナンス性のすぐれた摺動絞り弁型気化器におけるケーブルホルダーを提供することを目的とする。
【課題を解決するための手段】
【０００６】
本発明になる摺動絞り弁型気化器のケーブルホルダーは、前記目的達成のために、内部を吸気通路が貫通して穿設され、吸気通路から一側方に向かって摺動絞り弁を摺動自在に支持する絞り弁案内孔が連設され、前記絞り弁案内孔が穿設される絞り弁案内筒の上部に絞り弁案内孔の上部開口を閉塞するトップが螺着されるとともに該トップには、アクセルワイヤーが挿通配置されるケーブルホルダーが回転自在に支持される摺動絞り弁型気化器において、
トップに立設されたホルダーガイド筒部の上端から下端に向けてガイドカラー挿入孔が貫通して穿設され、
ガイドカラー挿入孔内に回転自在に挿入配置されるとともに合成樹脂材料によって形成されるガイドカラーは、ガイドカラー挿入孔に挿入される円筒状のガイド筒部と、ガイド筒部の上端にあって外側方に向かって延出形成される環状鍔部と、環状鍔部の上端からガイド筒部の下端に向けて貫通して穿設されるケーブルホルダー挿入孔と、により形成され、
ガイドカラー挿入孔に、ガイドカラーのガイド筒部を挿入配置するとともに環状鍔部をホルダーガイド筒部の上端に当接配置し、
一方、ガイドカラーのケーブルホルダー挿入孔にケーブルホルダーを挿入配置し、
ガイドカラーを、環状鍔部に臨むケーブルホルダーの拡大鍔部と、
ケーブルホルダーの下端に固定配置され、ガイド筒部の下端及びホルダーガイド筒部の下端に臨む係止ワッシャーと、により回転自在に挟持したことを特徴とする。
【発明の効果】
【０００７】
本発明によると、ガイドカラーのガイド筒部が、トップのホルダーガイド筒部に穿設されるガイドカラー挿入孔に回転自在に支持されるとともにガイドカラーの環状鍔部の下面がホルダーガイド筒部の上端に当接配置される。又ケーブルホルダーの下端の外周がガイドカラーのケーブルホルダー挿入孔に回転自在に支持されるとともにケーブルホルダーの拡大鍔部の下面が、ガイドカラーの環状鍔部の上端面に当接配置される。
以上によると、金属材料によって形成されるケーブルホルダーの下端の外周及び拡大鍔部は、合成樹脂材料によって形成されるガイドカラーのケーブルホルダー挿入孔及び環状鍔部に回転自在に当接配置され、金属材料によって形成されるケーブルホルダーがガイドカラーを介してトップに当接されるので湿気が作用しても、前記当接部における回転を長期間に渡って良好に維持できる。
又、合成樹脂材料によって形成されるガイドカラーの環状鍔部がホルダーガイド筒部の上端に当接配置され、ガイドカラーのガイド筒部がトップのガイドカラー挿入孔に挿入配置されるので前記当接部における回転を前記と同様に良好に維持できる。
以上の如く、ケーブルホルダーとガイドカラーとの当接部に金属同志の当接部分が存在しないこと。及びガイドカラーとトップとの当接部に金属同志の当接部分が存在しないこと。により該当接部に湿気が作用した際にあっても、長期間に渡ってケーブルホルダーとトップとの回転を良好に維持することができる。而してケーブルホルダーを手によって固定した状態でトップを回転することによってトップを気化器本体より取外すことができ、摺動絞り弁を含むジェットニードルのメンテナンスを容易に行なうことができる。
又、仮にケーブルホルダーとガイドカラーとの間の当接部及びガイドカラーとトップとの間の当接部の何れか一方の当接部の回転が阻止された際にあっても、他方の当接部における回転を高い確率をもって維持することができるので、トップとケーブルホルダーとの回転を長期に渡って良好に維持できる。
【発明を実施するための最良の形態】
【０００８】
以下、本発明になる摺動絞り弁型気化器のケーブルホルダーの一実施例を図１により説明する。
尚、図３と同一構造部分については同一符号を使用して説明を省略する。
トップ１は、有底カップ状をなし、絞り弁案内筒２２の上部のオネジ２２ａに螺着されるメネジ１ａが形成され、その上底部から一側（図において上方）に向けてホルダーガイド筒部１ｂが突出して形成され、更にホルダーガイド筒部１ｂの上端１ｂ１から下端１ｂ２に向けてガイドカラー挿入孔１ｃが貫通して穿設される。
２は、合成樹脂材料によって形成されるガイドカラーであり、ガイドカラー挿入孔１ｃに回転自在に支持されるガイド筒部２ａと、ガイド筒部２ａの上端から外側方に向かって延出し、ホルダーガイド筒部１ｂの上端１ｂ１に臨む環状鍔部２ｂと、により形成され、更に環状鍔部２ｂの上端面２ｂ１からガイド筒部２ａの下端２ａ１に向けてケーブルホルダー挿入孔２ｃが貫通して穿設される。
ケーブルホルダー３は、従来と同一構造をなすもので、下端の外周に係止ワッシャー４が固定配置され、係止ワッシャー４の上方に拡大鍔部３ａが形成される。
【０００９】
そして、前記ケーブルホルダー、ガイドカラー２は、以下によってトップ１に取着される。
まず、トップ１のガイドカラー挿入孔１ｃ内にガイドカラー２が挿入配置されるもので、ガイドカラー挿入孔１ｃにガイド筒部２ａが回転自在に挿入配置され、環状鍔部２ｂの下端面２ｂ２はホルダーガイド筒部１ｂの上端１ｂ１に当接して配置されるもので、かかる状態において、ガイドカラー２はトップ１に対し回転自在に配置される。
次に、ケーブルホルダー３がガイドカラー２のケーブルホルダー挿入孔２ｃ内に挿入配置されるもので、拡大鍔部３ａの下面３ａ１は、ガイドカラー２の環状鍔部２ｂの上端面２ｂ１に当接配置され、ケーブルホルダー３の下端に固定配置される係止ワッシャー４は、ガイドカラー２のガイド筒部２ａの下端２ａ１及びホルダーガイド筒部１ｂの下端１ｂ２に臨んで配置される。
より具体的には、ケーブルホルダー３がガイドカラー２のケーブルホルダー挿入孔２ｃ内に挿入され、ガイド筒部２ａの下端２ａ１及びホルダーガイド筒部１ｂの下端１ｂ２に臨むケーブルホルダー３の外周に係止ワッシャー４が例えばカシメ結合される。
【００１０】
以上によると、ガイドカラー２は、トップ１のホルダーガイド筒部１ｂ内のガイドカラー挿入孔１ｃ内に回転自在に支持され、ケーブルホルダー３は、ガイドカラー２のケーブルホルダー挿入孔２ｃ内に回転自在に支持され、更にガイドカラー２は、ケーブルホルダー３の拡大鍔部３ａと、係止ワッシャー４とによってガイドカラー挿入孔１ｃからの脱出が阻止される。
【００１１】
以上によって形成されたケーブルホルダー３を備えるトップ１は、前記と同様に絞り弁案内筒２２の上部に螺着されるもので、このとき摺動絞り弁１３、絞り弁スプリング２６、アクセルワイヤーＷは、図５に示される従来と同様の方法をもって気化器本体１０に組付けられる。
【００１２】
以上述べた本発明になる摺動絞り弁型気化器のケーブルホルダーによると、ガイドカラー２が合成樹脂材料によって形成され、ガイドカラー２の環状鍔部２ｂの下端面２ｂ２がホルダーガイド筒部１ｂの上端１ｂ１に臨んで配置され、ガイドカラー２のガイド筒部２ａがホルダーガイド筒部１ｂのガイドカラー挿入孔１ｃに挿入配置されたこと、により湿気が作用してもガイドカラー２がホルダーガイド筒部１ｂに固着することがない。
又、ケーブルホルダー３にあっては、拡大鍔部３ａの下面３ａ１がガイドカラー２の環状鍔部２ｂの上端面２ｂ１に臨んで配置され、ケーブルホルダー３の下端近傍の外周がガイドカラー２のケーブルホルダー挿入孔２ｃ内に挿入配置されたこと、により湿気が作用してもケーブルホルダー３がガイドカラー２に固着することがない。
以上によれば、ケーブルホルダー３、ガイドカラー２、ホルダーガイド筒部１ｂ、間における固着を抑止できるので、ホルダーガイド筒部１ｂに対するガイドカラー２の回転及びガイドカラー２に対するケーブルホルダー３の回転を長期に渡って安定して維持できるもので、摺動絞り弁１３、及びアクセルワイヤーＷのメンテナンス作業時において、ケーブルホルダー３を手で固定した状態でトップ１を回転してトップ１を気化器本体１０より取外すことができたもので、長期間に渡って安定したメンテナンスを行なうことができる。
又トップ１とケーブルホルダー３との間にあっては、トップ１のガイドカラー挿入孔１ｃとガイドカラー２の外周部分における第１の回転支持部と、ガイドカラー２のケーブルホルダー挿入孔２ｃとケーブルホルダー３における第２の回転支持部とが形成されるので、何れか一方の回転支持部が仮に固着した際にあっても他方の回転支持部における回転を維持することができ、これによってケーブルホルダー３とトップ１との間における回転を長期に渡って良好に維持できる。
【図面の簡単な説明】
【００１３】
【図１】本発明になる摺動絞り弁型気化器のケーブルホルダーの一実施例を示す縦断面図。
【図２】図１のケーブルホルダーを含むホルダーガイド筒部の拡大された要部縦断面図。
【図３】従来の摺動絞り弁型気化器のケーブルホルダーの縦断面図。
【図４】図３のケーブルホルダーを含むホルダーガイド筒部の拡大された要部縦断面図。
【図５】従来のケーブルホルダーとトップとの組付けの状態を示す縦断面図。
【符号の説明】
【００１４】
１      トップ
１ｂ    ホルダーガイド筒部
１ｂ１  上端
１ｂ２  下端
１ｃ    ガイドカラー挿入孔
２      ガイドカラー
２ａ    ガイド筒部
２ａ１  下端
２ｂ    環状鍔部
２ｂ１  上端
２ｃ    ケーブルホルダー挿入孔
３      ケーブルホルダー
３ａ    拡大鍔部
【図１】
2007198294.tif 000003
【図２】
2007198294.tif 000004
【図３】
2007198294.tif 000005
【図４】
2007198294.tif 000006
【図５】
2007198294.tif 000007